(57)【要約】【課題】競技者が自己のペース配分を容易に調整できるように関門に基づく情報を取得できる電子機器を提供すること。【解決手段】計測システムは、計測用電波を発する電波送信装置と、複数の地点を通過する移動体に装着される電子機器であって、前記電波送信装置が発した前記計測用電波を受信する電子機器と、を含み、前記電子機器が少なくとも前記計測用電波を受信したことに基づいて、前記移動体が次の地点を通過する目標時間を示す目標時間情報を表示する。【選択図】図２
2016137068.tif 000002
【特許請求の範囲】
【請求項１】
複数の地点を通過する移動体に装着される電子機器であって、
前記複数の地点にそれぞれ対応する地点において計測用電波を受信する受信部と、
前記受信部が少なくとも前記計測用電波を受信したことに基づいて、前記移動体が次の地点を通過する目標時間を示す目標時間情報を表示する表示部と、
を備えることを特徴とする、電子機器。
【請求項２】
各地点の前記目標時間情報を記憶する記憶部、
を備えることを特徴とする、請求項１に記載の、電子機器。
【請求項３】
各地点の前記目標時間情報を入力する入力部、
を備えることを特徴とする、請求項１または請求項２のいずれか一項に記載の、電子機器。
【請求項４】
各地点の前記目標時間情報を受信する通信部、
を備えることを特徴とする、請求項１から請求項３のいずれか一項に記載の、電子機器。
【請求項５】
現在時刻が前記目標時間情報が示す時刻を超過したとき、前記表示部は次の地点の前記目標時間情報を表示することを特徴とする、請求項１から請求項４のいずれか一項に記載の、電子機器。
【請求項６】
前記受信部が前記計測用電波を最初に受信した時刻から最初の地点の前記目標時間情報が示す時刻を差し引いた時間を、各地点の前記目標時間情報に対してそれぞれ加算することを特徴とする、請求項１から請求項５のいずれか一項に記載の、電子機器。
【請求項７】
計測用電波を発する電波送信装置と、
複数の地点を通過する移動体に装着される電子機器であって、前記電波送信装置が発した前記計測用電波を受信する電子機器と、
を含み、前記電子機器が少なくとも前記計測用電波を受信したことに基づいて、前記移動体が次の地点を通過する目標時間を示す目標時間情報を表示することを特徴とする、計測システム。
【請求項８】
複数の地点を通過する移動体に装着される電子機器のコンピューターに、
前記複数の地点にそれぞれ対応する地点ににおいて計測用電波を受信する手順と、
少なくとも前記計測用電波を受信したことに基づいて、前記移動体が次の地点を通過する目標時間を示す目標時間情報を表示する手順と、
を実行させるための、電子機器の制御プログラム。
【発明の詳細な説明】
【技術分野】
【０００１】
本発明は、電子機器、計測システム、及び電子機器の制御プログラムに関する。
【背景技術】
【０００２】
マラソンやトライアスロン、オリエンテーリング等、コースに沿って設置された計測ポイントを順に通過しながらゴールを目指すようなスポーツ競技において、競技者が計測ポイントを通過したことの判定、及び通過した時間の計測等の作業を自動化するために、電子機器を使用した計測システムが用いられることがある。例えば、各競技者のゼッケンやシューズ、リストバンド、腕時計、等にＲＦＩＤ（Ｒａｄｉｏ  Ｆｒｅｑｕｅｎｃｙ  Ｉｄｅｎｔｉｆｉｃａｔｉｏｎ；小型省電力ＩＣ通信技術）タグを取り付けておき、計測ポイント上に敷かれたマットに組み込まれたＲＦＩＤリーダーが、ＲＦＩＤタグからの電波を受信することによって、競技者が計測ポイントを通過したことを判定するようなシステムである。
【０００３】
特許文献１に記載の発明では、スタート地点、通過地点及びゴール地点にリーダー装置が設置され、リーダー装置が発する電磁波を、競技者により着用される電子腕時計が受信する。そのとき電子腕時計は自己のＩＤ（Ｉｄｅｎｔｉｆｉｅｒ；識別子）コードを含めた電磁波をリーダー装置に送信する。リーダー装置は受け取ったＩＤコードを計時・認識処理装置に送信し、計時・認識処理装置はスプリットタイムやトータル時間等を算出する。そして、計時・認識処理装置が算出した各時間情報を、リーダー装置が電子腕時計に送信し、電子腕時計は各時間情報を表示部に表示する。
【０００４】
特許文献２に記載の発明では、ＲＦＩＤタグを備える個人用運動装置を競技者が着用する。また、磁界を生成する複数のマットがレースコースに沿って設置される。競技者がコースに沿って進むのに伴い、ＲＦＩＤタグを各マットでトリガし、レースデータを個人用運動装置のディスプレイに表示する。
【先行技術文献】
【特許文献】
【０００５】
【特許文献１】特開平５−１７２９６０号公報
【特許文献２】特表２０１０−５３２６７３号公報
【発明の概要】
【発明が解決しようとする課題】
【０００６】
特許文献１及び特許文献２に記載の発明において、競技者が計測ポイントを通過した時点で、競技者により着用される装置上で表示が切り替えられる情報は、スタート時点から計測ポイントを通過するまでのスプリットタイムや目標タイム等の情報である。
しかしながら、例えば市民マラソン等の大会には様々な競技レベルの競技者が出場する。とくに近年では、スプリットタイム等を目標とするのではなく、ゴールまで完走をすることを目標とするような初級レベルの競技者も増加傾向である。
【０００７】
また多くのマラソン大会では、道路などの使用許可時間の都合から、ゴールに時間制限が設けられるほか、所定の時刻までに通過できなかった競技者にはそれ以降の走行を中止させる地点が設けられることも多い。この地点は関門と呼ばれ、コースに沿って数カ所に設置されており、大会主催者が各関門毎に事前に設定した封鎖時刻になると、その関門が封鎖される。
【０００８】
なお各関門の設置箇所及び封鎖時刻については、事前に主催者から競技者に周知される。封鎖時刻までに関門を通過できなかった競技者はそこで競技を終了しなければならず、関門まであとわずかなところで完走を断念する競技者は多い。
そのため初級レベルの競技者は、各関門の封鎖時刻までに関門を通過することを中間目標にしてゴールへの完走を目指す。なお、各関門の封鎖時刻はスタート時点からの経過時間に基づくものではなく、現地の標準時等の現在時刻に基づいて設定されていることが多い。
【０００９】
以上のことから、スタート時点からの経過時間に基づいて計時をする特許文献１及び特許文献２に記載の発明は、標準時によって定められた関門の封鎖時刻までの残り時間を目安にして走行する競技者が使用するには適さないという問題がある。
【００１０】
本発明は上記の点に鑑みてなされたものであり、競技者が自己のペース配分を容易に調整できるように関門に基づく情報を取得できる、電子機器、計測システム、及び電子機器の制御プログラムを提供する。
【課題を解決するための手段】
【００１１】
（１）複数の地点を通過する移動体に装着される電子機器であって、前記複数の地点にそれぞれ対応する地点において計測用電波を受信する受信部と、前記受信部が少なくとも前記計測用電波を受信したことに基づいて、前記移動体が次の地点を通過する目標時間を示す目標時間情報を表示する表示部と、を備えることを特徴とする、電子機器である。
【００１２】
（２）また、本発明の一態様は、（１）に記載の電子機器であって、各地点の前記目標時間情報を記憶する記憶部を備えることを特徴とする。
【００１３】
（３）また、本発明の一態様は、（１）または（２）に記載の電子機器であって、各地点の前記目標時間情報を入力する入力部を備えることを特徴とする。
【００１４】
（４）また、本発明の一態様は、（１）から（３）のいずれか１つに記載の電子機器であって、各地点の前記目標時間情報を受信する通信部を備えることを特徴とする。
【００１５】
（５）また、本発明の一態様は、（１）から（４）のいずれか１つに記載の電子機器であって、現在時刻が前記目標時間情報が示す時刻を超過したとき、前記表示部は次の地点の前記目標時間情報を表示することを特徴とする。
【００１６】
（６）また、本発明の一態様は、（１）から（５）のいずれか１つに記載の電子機器であって、前記受信部が前記計測用電波を最初に受信した時刻から最初の地点の前記目標時間情報が示す時刻を差し引いた時間を、各地点の前記目標時間情報に対してそれぞれ加算することを特徴とする。
【００１７】
（７）また、本発明の一態様は、計測用電波を発する電波送信装置と、複数の地点を通過する移動体に装着される電子機器であって、前記電波送信装置が発した前記計測用電波を受信する電子機器と、を含み、前記電子機器が少なくとも前記計測用電波を受信したことに基づいて、前記移動体が次の地点を通過する目標時間を示す目標時間情報を表示することを特徴とする、計測システムである。
【００１８】
（８）また、本発明の一態様は、複数の地点を通過する移動体に装着される電子機器のコンピューターに、前記複数の地点にそれぞれ対応する地点ににおいて計測用電波を受信する手順と、少なくとも前記計測用電波を受信したことに基づいて、前記移動体が次の地点を通過する目標時間を示す目標時間情報を表示する手順と、を実行させるための、電子機器の制御プログラムである。
【発明の効果】
【００１９】
本発明によれば、競技者が自己のペース配分を容易に調整できるように関門に基づく情報を取得できる。
【図面の簡単な説明】
【００２０】
【図１】本発明の第１の実施形態に係るレース会場の一例を示す概略図である。
【図２】本発明の第１の実施形態に係る計測システムの一例を示す概略図である。
【図３】本発明の第１の実施形態に係る競技者の走行記録の一例を示す概略図である。
【図４】本発明の第１の実施形態に係るリーダー装置及び電子機器の構成の一例を示すブロック図である。
【図５】本発明の第１の実施形態に係る電子機器の動作の一例を示すフローチャートである。
【図６】本発明の第２の実施形態に係る外部通信機器の構成の一例を示すブロック図である。
【図７】本発明の第２の実施形態に係る大会情報を示すデータの構成の一例を示す図である。
【図８】本発明の第３の実施形態における計測システムの構成の一例を示す概略図である。
【図９】本発明の第３の実施形態に係る電子機器の動作の一例を示すフローチャートである。
【図１０】本発明の第４の実施形態に係る電子機器が記憶する各種の時間情報を示すデータの一例である。
【図１１】本発明の第４の実施形態に係る電子機器が表示する各種の時間情報の一例を示す図である。
【図１２】本発明の第４の実施形態に係る電子機器の動作の一例を示すフローチャートである。
【図１３】本発明の第５の実施形態に係る電子機器が表示する各種の時間情報の一例を示す図である。
【図１４】本発明の第５の実施形態に係る電子機器の動作の一例を示すフローチャートである。
【発明を実施するための形態】
【００２１】
（第１の実施形態）
本発明の第１の実施形態について、図面を参照しながら説明する。なお、本発明の各実施形態における電子機器は、マラソン競技の競技者の手首に装着されるスポーツウォッチを例示して説明する。競技者は競技中に、スポーツウォッチのディスプレイに表示される各種の時間情報等を確認することによって、走行するペースを上げたり下げたりする等の判断をする。
【００２２】
なお、本発明はマラソン競技のみに限られるものではなく、例えばトライアスロンやオリエンテーリングをはじめ、コースに沿って設置された計測ポイントを順に通過しながらゴールを目指すようなスポーツ競技、及びスカベンジャーハント等のゲーム等においても適用することが可能である。
【００２３】
図１は、本発明の第１の実施形態に係るレース会場の一例を示す概略図である。
本実施形態に係るレース会場１は、レースコース１１と、スタート地点２１と、関門地点２２−１〜２２−３と、ゴール地点２３と、スタート地点計測ポイント３１と、中間地点計測ポイント３２−１〜３２−３と、ゴール地点計測ポイント３３と、を含んで構成される。
【００２４】
レースコース１１は、マラソン競技において、競技者が走行する経路である。レースコース１１は、主に市街地の道路上等を利用して設営される。マラソン競技の競技者は、スタート地点２１から走行を開始し、レースコース１１に沿って走行をして、ゴール地点２３に到達した後に走行を終了する。
【００２５】
スタート地点２１は、マラソン競技の競技者が競技を開始する地点、すなわち走行を開始する地点である。スタート地点２１には、競技者がスタート地点２１の正確な位置を認識することができるように、スタート地点２１であることを示すスタートラインが路上に引かれていたり、横断幕が掲げられていたりする。
【００２６】
なお、特に参加する競技者の人数が多いマラソン大会等においては、競技者が走行を開始する地点が、スタートラインから数十メートル〜数百メートル手前であって、レースコース１１の始点であるスタート地点２１から離れた地点になってしまう場合がある。参加する競技者の人数が多いことによって、スタート時に、スタート地点２１に至近の範囲のみに全ての競技者を待機させることができないためである。
【００２７】
関門地点２２−１〜２２−３は、レースコース１１に沿ってそれぞれ互いに離れた地点に配置される。関門地点２２−１〜２２−３は、競技者がスタート地点２１からゴール地点２３まで走行するまでの間に通過する地点である。
第１の実施形態においては、関門地点２２−１はスタート地点２１からレースコース上に沿って進みおよそ１０ｋｍ経過した地点に配置されているものとする。同様に、関門地点２２−２、関門地点２２−３はそれぞれスタート地点２１からレースコース上に沿って進みおよそ２０ｋｍ、３０ｋｍ経過した地点に配置されているものとする。
【００２８】
なお関門地点２２−１〜２２−３も、スタート地点２１と同様に、競技者が関門地点２２−１〜２２−３の正確な位置を認識することができるように、それぞれ関門地点２２−１〜２２−３であることを示すラインが路上に引かれていたり、横断幕が掲げられていたりする。
【００２９】
関門地点２２−１〜２２−３には、マラソン大会の主催者によって予め定められた封鎖時刻がそれぞれ設定されている。なお競技のスタート時刻や、関門地点２２−１〜２２−３に設定された封鎖時刻に関する情報等は、競技の開始前に主催者から競技者に対して提供されている。
【００３０】
関門地点２２−１〜２２−３では、各関門地点にそれぞれ設定された封鎖時刻になると、マラソン大会の主催者等によって関門地点におけるレースコース１１が封鎖される。マラソン大会では、レースコース１１に使用する道路等の使用許可時間の都合から、ゴールの時間制限や一定時間内に通過しなければ競技を中止させる地点、すなわち関門地点を設けている。したがって、それぞれの封鎖時刻までに関門地点２２−１〜２２−３を通過できなかった競技者は、その場で競技を終了しなければならない。
【００３１】
ゴール地点２３は、マラソン競技の競技者がレースコース１１の完走を果たして、走行を終了する地点である。ゴール地点２３には、競技者がゴール地点２３の位置を認識することができるように、マラソン大会の主催者等によってゴールテープが張られていたり、ゴール地点２３であることを示すゴールラインが路上に引かれていたり、横断幕が掲げられていたりする。
【００３２】
またゴール地点２３についても、関門地点２２−１〜２２−３と同様に、封鎖時刻が設定されている。したがって、封鎖時刻までにゴール地点２３へ到達できなかった競技者は、大会の主催者によって記録される公式記録においては完走が認められず、途中棄権したものとみなされる。
【００３３】
スタート地点計測ポイント３１は、通常、例えばスタート地点２１の路面上に引かれるスタートラインの位置に合わせて設定される。第１の実施形態では、スタート地点２１とスタート地点計測ポイント３１とは同位置にあるものとする。スタート地点計測ポイント３１とは、マラソン大会の主催者等によって各競技者がレースコース１１の手前からスタートライン等を越えてレースコース１１に進入したことの計測がなされるための計測ポイントである。
【００３４】
中間地点計測ポイント３２−１〜３２−３は、通常、レースコース１１に沿って一定の間隔で複数の地点に設定される。例えば、一般的なマラソン大会においては、スタート地点２１から５ｋｍ間隔毎に設定されることが多い。第１の実施形態では説明の簡略化のため、関門地点２２−１〜２２−３と同様に、中間地点計測ポイント３２−１〜３２−３はスタート地点２１からレースコース上に沿って進みそれぞれ１０ｋｍ、２０ｋｍ、３０ｋｍ経過した地点に設定されているものとする。
【００３５】
なおマラソン大会において、例えば、スタート地点２１からともにおよそ１０ｋｍの地点に設定される関門地点２２−１と中間地点計測ポイント３２−１とは、必ずしも同一の地点ではないことがある。レースコース１１が使用する道路交通上の制約等によって、関門地点２２−１を１０ｋｍ地点の前後いずれかに数十メートル〜数百メートル離して設置しなければならないような場合である。
【００３６】
但し、第１の実施形態においては、関門地点２２−１と中間地点計測ポイント３２−１、関門地点２２−２と中間地点計測ポイント３２−２、及び関門地点２２−３と中間地点計測ポイント３２−３、はそれぞれ同位置にあるものとする。
【００３７】
ゴール地点計測ポイント３３は、通常、例えばゴール地点２３の路上に引かれたゴールラインに合わせて設定される。
第１の実施形態においては、ゴール地点２３とゴール地点計測ポイント３３とは同位置にあるものとする。ゴール地点計測ポイント３３とは、各競技者がレースコース１１の終点であるゴール地点２３を越えて、各競技者がレースコース１１の外部に退出したことの計測がなされるための計測ポイントである。
【００３８】
次に、第１の実施形態における計測システム２の概略について図面を参照しながら説明する。
図２は、本発明の第１の実施形態に係る計測システムの一例を示す概略図である。
図２（Ａ）に示すように、本実施形態に係る計測システム２は、競技者と、リーダー装置５１と、磁界５２と、電子機器５３と、を含んで構成される。
【００３９】
競技者は、マラソン大会に参加した競技者である。図２に図示するとおり、競技者の左手の手首には電子機器５３が装着される。
リーダー装置５１は、スタート地点計測ポイント３１、中間地点計測ポイント３２−１〜３２−３、及びゴール地点計測ポイント３３に設置される。本実施形態においては、リーダー装置５１は薄く平坦なマット状の形状をしたＲＦＩＤリーダー装置であるものとし、各計測ポイントの路上に敷設される。
【００４０】
リーダー装置５１は、パッシブ型のＲＦＩＤタグに電波を発信させるための磁界を発生させるためのアンテナと、ＲＦＩＤタグからのデータを受信するためのアンテナの２種類のアンテナ（図示せず）を備える。パッシブ型のＲＦＩＤタグとは、電池を内蔵せず、リーダー装置５１が発生させる磁界５２によって引き起こされる電磁誘導等の手段によって駆動し、電波の受発信を行うタイプのＲＦＩＤタグのことである。
【００４１】
なお図２（Ａ）に示す破線で描かれた２組の３重の輪は、リーダー装置５１が発生させる磁界５２のイメージを図示したものであり、実際には不可視なものである。磁界５２は各計測ポイントの路上に敷設されたリーダー装置５１の上部にまんべんなく発生し、競技者がリーダー装置５１の上を通過する際には、必ず磁界５２の中を通過することになる。
【００４２】
図２（Ｂ）は、図２（Ａ）に示した競技者の左手の手首に装着された電子機器５３の周辺の範囲を拡大して図示したものである。
電子機器５３は、各種の時間情報を表示するディスプレイや、リーダー装置５１が発生させる磁界５２の信号を受信するためのアンテナ（図示せず）等を備える腕時計型の形状をした電子機器である。
【００４３】
但し、電子機器５３は腕時計型の形状をした電子機器のみに限られるものではなく、例えば、サングラスや帽子等の形状をしたその他のウェアラブルコンピューターや、スマートフォン等の携帯型情報端末であってもよい。
【００４４】
また電子機器５３は、自己の電子機器５３が現在位置している地域の標準時に基づく現在時刻を刻むことができる一般的な時計機能を備える。例えば電子機器５３は、標準電波を受信することによって正確な標準時を刻むことができる、いわゆる電波時計であってもよい。
【００４５】
また電子機器５３は、競技が開始される前に、競技者が予め目標設定した時刻を示す目標時間情報の入力を受け付ける。そして電子機器５３は、その目標時間情報を記憶することができる。なお第１の実施形態においては、電子機器５３への目標時間情報の入力は、競技者による手入力によって競技開始前に予めなされているものとする。
【００４６】
また第１の実施形態における競技者は、ゴール地点２３まで完走をすることが最終的な目標である初級レベルの競技者であるものとする。競技者は、関門地点２２−１〜２２−３、及びゴール地点２３のそれぞれの封鎖時刻までに，各地点に到達することを目標とする。
したがって、第１の実施形態においては、関門地点２２−１〜２２−３、及びゴール地点２３のそれぞれの封鎖時刻を示す情報が目標時間情報である。競技者はその目標時間情報を、競技開始前に予め手入力によって電子機器５３に入力して記憶させる。
なお、関門地点２２−１〜２２−３、及びゴール地点２３のそれぞれの封鎖時刻に関する情報は、大会主催者等から予め競技者に伝えられる。
【００４７】
次に、第１の実施形態における競技者の走行記録の一例について図面を参照しながら説明する。
図３は、本発明の第１の実施形態に係る競技者の走行記録の一例を示す概略図である。まず、図３（Ａ）は、本例におけるレースコース１１の各地点毎の封鎖時刻と、競技者が各計測ポイントを通過した時刻と、が記録されたデータである。
【００４８】
なお上述の通り、第１の実施形態では、関門地点２２−１と中間地点計測ポイント３２−１、関門地点２２−２と中間地点計測ポイント３２−２、関門地点２２−３と中間地点計測ポイント３２−３、はそれぞれ同位置にある。
【００４９】
図３（Ａ）の第２行目において、「場所」の項目に対する値には「スタート」、「封鎖時刻」の項目に対する値には「−」、及び「通過時刻」の項目に対する値には「９：２０」というデータが記載されている。つまり、第２行目のデータは、スタート地点には封鎖時刻が設定されていないためデータがなく、競技者がスタート地点を通過した時刻が「９：２０」であることを意味する。
【００５０】
また図３（Ａ）の第３行目には、「場所」の項目に対する値には「１０ｋｍ計測ポイント＆関門」、「封鎖時刻」の項目に対する値には「１０：４０」、及び「通過時刻」の項目に対する値には「１０：２５」というデータが記載されている。つまり、第３行目のデータは、スタート地点から１０ｋｍの位置にある関門地点２２−１の封鎖時刻が「１０：４０」であり、競技者がスタート地点から１０ｋｍの位置にある中間地点計測ポイント３２−１を通過した時刻が「１０：２５」であることを意味する。
すなわち、関門地点２２−１の関門が封鎖される前に、競技者が無事に、中間地点計測ポイント３２−１（すなわち、関門地点２２−１）を通過することができたことを意味する。
【００５１】
また図３（Ａ）の第５行目には、「場所」の項目に対する値には「３０ｋｍ計測ポイント＆関門」、「封鎖時刻」の項目に対する値には「１４：００」、及び「通過時刻」の項目に対する値には「１４：０５」というデータが記載されている。つまり、第５行目のデータは、スタート地点から３０ｋｍの位置にある関門地点２２−３の封鎖時刻が「１４：００」であり、競技者がスタート地点から３０ｋｍの位置にある中間地点計測ポイント３２−３に到着した時刻が「１４：０５」であることを意味する。
【００５２】
すなわち、関門地点２２−３の関門が封鎖された５分後に、競技者は中間地点計測ポイント３２−３（すなわち、関門地点２２−３）に到着したことを意味する。したがって競技者は、関門地点２２−３において走行を終了しなければならなくなり本競技における競技者のレース結果は「棄権」となったことを意味する。
【００５３】
図３（Ｂ）は、競技者がスタート地点２１を通過した直後の時点において、競技者が装着する電子機器５３のディスプレイに表示される各時間情報の一例を示す図である。
第１の実施形態における電子機器５３は、ディスプレイの表示領域の上段に、「次の関門地点の名称」を表示する。中段には競技者により予め手入力によって電子機器５３に記憶させられた次の関門の通過目標時刻、すなわち「次の関門の封鎖時刻」を表示する。下段には「現在時刻」を表示する。
【００５４】
図３（Ｂ）に示す電子機器５３のディスプレイの表示例では、表示領域の上段に「１０ｋｍＧＡＴＥ」、中段に「１０：４０」、及び下段には「９：２０」と表示されている。
図３（Ｂ）は競技者がスタート地点２１を通過した直後の時点における表示例であることから、表示領域の上段に表示されるのは、最初の関門地点である１０ｋｍ地点の関門地点であることを意味する「１０ｋｍＧＡＴＥ」となっている。また、表示領域の中段に表示されるのは、上記１０ｋｍ地点の関門地点の封鎖時刻である「１０：４０」となっている。
【００５５】
なお、上記１０ｋｍ地点の関門地点の封鎖時刻が「１０：４０」であるのは、図３（Ａ）の表の３行目に示した通りである。また、表示領域の下段に表示されるのは現在時刻であり、かつ、図３（Ｂ）の表示例は競技者がスタート地点２１を通過した直後の時点での表示を例示したものであることから、競技者がスタート地点２１を通過した時刻である「９：２０」となっている。
【００５６】
したがって競技者は、電子機器５３のディスプレイに表示された図３（Ｂ）の表示例が示す各時間情報を目視することによって、次の関門地点である１０ｋｍの関門地点の封鎖時刻が「１０：４０」であり現在時刻が「９：２０」であることを認識する。そして競技者は、封鎖時刻から現在時刻を差し引くことによって算出される残り１時間２０分が経過する前に、１０ｋｍ地点の関門地点を通過しなければならないことを認識することができる。
【００５７】
なお、電子機器５３のディスプレイの表示領域に、さらにこの封鎖時刻から現在時刻を差し引いた時間、すなわち次の関門地点を通過するための残り時間も表示させるようにしてもよい。
【００５８】
図３（Ｃ）は、競技者がスタート地点２１を通過した直後の時点での表示である図３（Ｂ）の表示状態から、競技の進行とともにこの電子機器５３のディスプレイ上の表示がどのように切り替わっていくのかを説明するために例示する概略図である。
【００５９】
図３（Ｃ）において、表示例６１は、スタート地点２１から１０ｋｍ地点の関門地点である関門地点２２−１までの間のある地点を競技者が走行しているときの表示例である。同様に、表示例６２は、関門地点２２−１から２０ｋｍ地点の関門地点である関門地点２２−２までの間のある地点を競技者が走行しているときの表示例である。また同様に、表示例６３は、関門地点２２−２から３０ｋｍ地点の関門地点である関門地点２２−３までの間のある地点を競技者が走行しているときの表示例である。
【００６０】
表示例６１では、表示領域の上段に「１０ｋｍＧＡＴＥ」、中段に「１０：４０」、及び下段には「９：５６」と表示されている。表示例６１の時点では、競技者は最初の関門地点である１０ｋｍ地点の関門地点をまだ通過していないため、表示領域における上段の表示は、図３（Ｂ）の表示のままとなり「１０ｋｍＧＡＴＥ」と表示される。
【００６１】
同様に、中段の表示も図３（Ｂ）の表示のままとなり「１０：４０」と表示される。そして下段の表示は現在時刻であるため、競技の進行とともに時間が経過し「９：５６」と表示されている。そして競技者は、封鎖時刻から現在時刻を差し引いた残り４４分が経過する前に、次の関門地点である１０ｋｍ地点の関門地点を通過しなければならないことを認識する。
【００６２】
なお、表示例６１が示す表示領域の下段の時刻「９：５６」から、図３（Ｂ）の下段時刻である「９：２０」を差し引くと３６分間であることから、表示例６１は競技者がスタートしてから３６分後の時点での表示状態を示していることが分かる。
【００６３】
表示例６２では、表示領域の上段に「２０ｋｍＧＡＴＥ」、中段に「１２：３０」、及び下段には「１１：４５」と表示されている。表示例６２の時点では、図３（Ｃ）に図示するように、競技者は１０ｋｍ地点の関門地点を既に通過して次の２０ｋｍ地点の関門地点へ向かって走行中である。したがって、表示例６２の表示領域における上段の表示は、「２０ｋｍＧＡＴＥ」と表示が切り替わっている。
【００６４】
同様に、中段の表示も２０ｋｍ地点の関門地点の封鎖時刻である「１２：３０」と表示が切り替わっている。なお、上記２０ｋｍ地点の関門地点の封鎖時刻が「１２：３０」であるのは、図３（Ａ）の表の４行目に示した通りである。
そして下段の表示は現在時刻であるため、競技の進行とともに時間が経過し「１１：４５」と表示されている。そして競技者は、封鎖時刻から現在時刻を差し引いた残り４５分が経過する前に、次の関門地点である２０ｋｍ地点の関門地点を通過しなければならないことを認識する。
【００６５】
表示例６３についても同様である。表示例６３の時点では、図３（Ｃ）に図示するように、競技者は２０ｋｍ地点の関門地点を既に通過して次の３０ｋｍ地点の関門地点へ向かって走行中である。したがって、表示例６３の表示領域における上段の表示は、「３０ｋｍＧＡＴＥ」と表示が切り替わっている。
【００６６】
同様に、中段の表示も２０ｋｍ地点の関門地点の封鎖時刻である「１４：００」と表示が切り替わっている。そして、下段の表示は現在時刻である「１３：５０」と表示されている。したがって競技者は、次の関門地点である３０ｋｍ地点の関門地点を通過するためには、封鎖時刻から現在時刻を差し引いた時間である残り１０分しか残されていないことを認識する。
【００６７】
（リーダー装置及び電子機器の構成）
次に、本実施形態に係るリーダー装置５１及び電子機器５３の構成について図面を参照しながら説明する。
図４は、本発明の第１の実施形態に係るリーダー装置及び電子機器の構成の一例を示すブロック図である。
【００６８】
リーダー装置５１は各種の計測ポイント、例えば、スタート地点計測ポイント３１、中間地点計測ポイント３２−１〜３２−３、及びゴール地点計測ポイント３３、の道路上等に敷設される。リーダー装置５１は、例えば、マット状の平坦な形状をしたアンテナ部分を備え、ＲＦＩＤタグとの電波の受発信を行うＲＦＩＤリーダーである。リーダー装置５１は、競技者がリーダー装置５１のマット上を通過したことの判定等をするために、各計測ポイントに敷設される。
リーダー装置５１は、マット５１１と、信号発生コイル５１２と、信号発信器５１３と、を含んで構成される。
【００６９】
マット５１１は、競技者が競技中に踏み越えていく際に、違和感なく走行を継続できるために適切な硬度や薄さ、大きさ等を具備する部材によって作られる。また、マット５１１は、競技の参加者全員がマット５１１を踏み越えても十分に耐えうるだけの耐久性と、マット５１１の内部に含まれる信号発生コイル５１２等を十分に保護できるだけの耐衝撃性、及び雨天の場合でも信号発生コイル５１２等を十分に保護できるだけの耐水性、等を備えて構成される。
【００７０】
信号発生コイル５１２は、マット５１１に埋め込まれ、導線部分を環状のコイルにしたたアンテナである。
信号発信器５１３は、信号発生コイル５１２と接続される。信号発信器５１３が信号発生コイル５１２に電流を供給することによって、信号発生コイル５１２は磁界５２を発生させる。
また、信号発信器５１３は、信号発生コイル５１２とのデータの送受信を行う。
【００７１】
電子機器５３は、受信アンテナ５３１と、受信回路５３２と、マイクロプロセッサ５３３と、ディスプレイ５３４と、メモリ５３５と、外部操作部材５３６（入力部）と、電源５３７と、を含んで構成される。
受信アンテナ５３１は、信号発生コイル５１２が発生させる磁界５２を受信する。
受信回路５３２は、受信アンテナ５３１が磁界５２を受信し、磁界５２を受信したことを示す信号をマイクロプロセッサ５３３に送信する。
【００７２】
なお、受信アンテナ５３１は、信号発生コイル５１２が発生させる磁界５２を受信するほか、送信所から送信される標準電波を受信するためのアンテナを兼ねたアンテナであってもよい。すなわち受信アンテナ５３１は、電波時計用のアンテナに信号発生コイル５１２が発生させる磁界５２を受信する機能を追加したアンテナであってもよい。
受信回路５３２は、受信アンテナ５３１が受信した磁界５２や標準電波等を、マイクロプロセッサ５３３が処理可能なデータの形式に変換をする。
【００７３】
マイクロプロセッサ５３３は、電子機器５３の各種の制御を行う。マイクロプロセッサは５３３は、例えば、ＣＰＵ（Ｃｅｎｔｒａｌ  Ｐｒｏｃｅｓｓｉｎｇ  Ｕｎｉｔ；中央演算処理装置）である。またマイクロプロセッサ５３３は、現在時刻を計る時計機能を有し、現在時刻をディスプレイ５３４に表示させる。そしてマイクロプロセッサ５３３は、１秒間隔または１分間隔等の一定の間隔で、ディスプレイ５３４の表示領域に表示させる現在時刻を切り替える。例えば、上述した図３（Ｂ）下段に表示される現在時刻を切り替える。
【００７４】
マイクロプロセッサ５３３は、受信回路５３２から磁界５２を受信したことを示す信号が入力されると、次の関門地点の名称及び封鎖時刻に関する情報を示すデータを、メモリ５３５に予め記憶されたデータから取得する。そして、マイクロプロセッサ５３３は、取得した次の関門地点の名称及び封鎖時刻に関する情報を示すデータに基づいて、ディスプレイ５３４の表示領域の表示を切り替える。例えば、上述した図３（Ｂ）上段に表示される次の関門地点の名称、及び図３（Ｂ）中段に表示される次の関門地点の封鎖時刻の表示を切り替える。
【００７５】
マイクロプロセッサ５３３は、外部操作部材５３６から入力された情報に基づいて、ディスプレイ５３４に各種の情報を表示したりする。また、マイクロプロセッサ５３３は、外部操作部材５３６から入力された情報に基づいて、メモリ５３５に記憶させるデータの読み書きを行う。
【００７６】
ディスプレイ５３４は、各種の時間情報等を表示する。ディスプレイ５３４は、例えば、液晶ディスプレイ、有機ＥＬ（Ｅｌｅｃｔｒｏｌｕｍｉｎｅｓｃｅｎｃｅ）ディスプレイ、等を含んで構成される。
【００７７】
メモリ５３５は、各種のデータやプログラム等を記憶する。メモリ５３５は記憶媒体、例えば、ＨＤＤ（Ｈａｒｄ  Ｄｉｓｋ  Ｄｒｉｖｅ）、フラッシュメモリ、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）、ＲＯＭ（Ｒｅａｄ  Ｏｎｌｙ  Ｍｅｍｏｒｙ；読み出し専用メモリ）、ＲＡＭ（Ｒａｎｄｏｍ  Ａｃｃｅｓｓ  ｒｅａｄ／ｗｒｉｔｅ  Ｍｅｍｏｒｙ；読み書き可能なメモリ）、またはそれらの組み合わせ、を含んで構成される。
例えば、競技者によって競技開始前に予め入力される、各関門の封鎖時刻等の目標時間情報を示すデータ等も、このメモリ５３５に記憶される。
【００７８】
外部操作部材５３６は、競技者から操作入力を受け付けるための部材である。外部操作部材５３６は、例えば、入力ボタンや、ねじ、ダイヤル、タッチパッド、ポインティングデバイス等の部材である。
また外部操作部材５３６は、遠隔装置からの操作入力を受け付けるための通信デバイスであってもよい。
【００７９】
なお、上記のディスプレイ５３４と外部操作部材５３６は、両者の機能を兼ね備えた部材を使用してもよい。すなわち表示機能と外部入力機能とを兼ね備えた、タッチパネル等の部材を使用してもよい。
電源５３７は、電子機器５３の各構成部品に電力を供給する。
【００８０】
（電子機器の動作）
次に、第１の実施形態に係る電子機器５３の動作について説明する。
図５は、本発明の第１の実施形態に係る電子機器の動作の一例を示すフローチャートである。
（ステップＳ１０１）まず競技がスタートする前に、レースコース１１に設置された全ての関門地点Ｓ［Ｎ］（Ｎ＝１〜ｎ）の封鎖時刻のデータが、自己の外部操作部材５３６を介して電子機器５３に入力され、自己の電子機器５３のメモリ５３５に記憶される。なお、ここでは、最後の関門地点はＳ［ｎ］はゴール地点であるものとする。その後、ステップＳ１０２へ進む。
【００８１】
（ステップＳ１０２）競技がスタートし、スタートライン手前から走行を開始した競技者は、スタート地点２１に引かれたスタートライン上に到達する。スタートライン上はスタート地点計測ポイント３１となっており、リーダー装置５１が敷設されている。競技者が装着する電子機器５３は自己の受信アンテナ５３１を介して、リーダー装置５１が発生させる磁界５２を受信する。その後、ステップＳ１０３へ進む。
【００８２】
（ステップＳ１０３）リーダー装置５１が発生させる磁界５２を自己の受信アンテナ５３１を介して受信した電子機器５３は、自己の電子機器５３がスタート地点２１を通過したものと判定する。電子機器５３は、自己の電子機器５３のメモリ５３５が記憶している最初の関門地点である関門地点Ｓ［Ｎ］（Ｎ＝１）の封鎖時刻を、自己の電子機器５３のディスプレイ５３４に表示する。その後、ステップＳ１０４へ進む。
【００８３】
（ステップＳ１０４）電子機器５３は、自己の電子機器５３のマイクロプロセッサ５３３によって、現在時刻と関門地点Ｓ［Ｎ］の封鎖時刻とを比較する。現在時刻が関門地点Ｓ［Ｎ］の封鎖時刻を過ぎた場合は、本フローチャートが示す処理を終了する。現在時刻が関門地点Ｓ［Ｎ］の封鎖時刻を過ぎていない場合は、ステップＳ１０５へ進む。
【００８４】
（ステップＳ１０５）電子機器５３は自己の電子機器５３の受信アンテナ５３１を介して、リーダー装置５１が発生させる磁界５２を受信した場合、ステップＳ１０６へ進む。また電子機器５３は、リーダー装置５１が発生させる磁界５２を受信していない場合には、ステップＳ１０４へ戻る。
【００８５】
（ステップＳ１０６）リーダー装置５１が発生させる磁界５２を自己の受信アンテナ５３１を介して受信した電子機器５３は、自己の電子機器５３が関門地点Ｓ［Ｎ］を通過したものと判定する。そして電子機器５３は、自己の電子機器５３のマイクロプロセッサ５３３によってＮに１を加算する。その後、ステップＳ１０７へ進む。
【００８６】
（ステップＳ１０７）電子機器５３は自己の電子機器５３のマイクロプロセッサ５３３によって、自己の電子機器５３のメモリ５３５が記憶しているＮ番目の関門地点である関門地点Ｓ［Ｎ］の封鎖時刻を自己の電子機器５３のディスプレイ５３４に表示する。その後、ステップＳ１０８へ進む。
【００８７】
（ステップＳ１０８）電子機器５３は自己の電子機器５３のマイクロプロセッサ５３３によって、Ｎとｎとの大きさを比較する。Ｎ＜ｎであった場合、ステップＳ１０４へ戻る。Ｎ＜ｎでなかった場合、すなわちゴール地点であるＳ［ｎ］の封鎖時刻をステップＳ１０７において表示した場合には、本フローチャートが示す処理を終了する。
【００８８】
以上説明したように、本実施形態によれば、電子機器５３は次の関門地点の封鎖時刻と現在時刻とをディスプレイに表示する。そして電子機器５３は、計測ポイント上に敷設されたリーダー装置５１が発生させる磁界を受信した場合、電子機器５３は関門地点を通過したものと判定する。関門地点を通過したものと判定した場合、電子機器５３はその次の関門地点の封鎖時刻と現在時刻とを表示するように表示を切り替える。
【００８９】
各関門地点の封鎖時刻は、スタート時点からのスプリットタイムではなく、標準時によって予め設定されているため、電子機器５３が封鎖時刻と現在時刻とを表示することによって、競技者は次の関門が封鎖されるまでの正確な残り時間を認識することができる。
【００９０】
また本来、スタート時点からのスプリットタイムを測定するために敷設されているリーダー装置５１が発生させる磁界を、電子機器５３は受信する。電子機器５３は磁界を受信した場合、関門地点を通過したものと判定し、自動的にその次の関門地点の封鎖時刻を表示するように表示を切り替える。したがって競技中には、競技者は電子機器５３の操作をすることなく、常に次の関門地点の封鎖時刻を認識することができる。
【００９１】
以上により、第１の実施形態に係る電子機器５３は、競技者が自己のペース配分を容易に調整できるように関門に基づく情報を取得できる。
【００９２】
（第２の実施形態）
次に、本発明の第２の実施形態について説明する。
本発明に係る電子機器５３は、競技が開始される前に競技者が予め目標設定した時刻を示す目標時間情報の入力を受け付け、その目標時間情報を記憶することができる。第１の実施形態においては、電子機器５３への目標時間情報の入力は、競技者による手入力によって競技開始前に予めなされているものとした。
【００９３】
第２の実施形態においては、電子機器５３への目標時間情報を手入力によって入力するのではなく、外部通信機器から受信することによって入力する。なお、第１の実施形態と構成が共通している部分については、説明を省略する。
【００９４】
また第１の実施形態と同様に、第２の実施形態における競技者は、ゴール地点まで完走をすることを最終目標とする初級レベルの競技者であるものとする。競技者は、関門地点２２−１〜２２−３、及びゴール地点２３のそれぞれの封鎖時刻までに各地点を通過することを目標とする。したがって、関門地点２２−１〜２２−３、及びゴール地点２３のそれぞれの封鎖時刻に関する情報が目標時間情報であり、競技者はその目標時間情報を、競技開始前に予め外部通信機器を介して電子機器５３に入力して記憶させる。
なお、関門地点２２−１〜２２−３、及びゴール地点２３のそれぞれの封鎖時刻に関する情報は、大会の主催者等から予め競技者に伝えられる。
【００９５】
（外部通信機器の構成）
次に、第２の実施形態に係る外部通信機器５４の構成について図面を参照しながら説明する。
図６は、本発明の第２の実施形態に係る外部通信機器の構成の一例を示すブロック図である。
【００９６】
外部通信機器５４は、送信アンテナ５４１と、信号発信器５４２と、マイクロプロセッサ５４３と、ディスプレイ５４４と、メモリ５４５と、外部操作部材５４６と、電源５４７と、を含んで構成される。
なお外部通信機器５４は、例えば、大会の主催者等が競技開始前に予めスタート地点２１の周辺に設置し、競技者に使用させる機器である。または、競技開始前に競技者に貸し出される機器等であってもよい。
【００９７】
送信アンテナ５４１は、関門地点２２−１〜２２−３、及びゴール地点２３のそれぞれの封鎖時刻に関する情報（以下、大会情報とも称する）を示すデータを含む電波を発信する。送信アンテナ５４１が送信した電波を、例えば電子機器５３は、受信アンテナ５３１（図４に図示）によって受信する。そして電子機器５３は、当該データを自己のメモリ５３５に記憶させる。
【００９８】
なお図６においては、送信アンテナ５４１が発信する電波によって電子機器５３へデータを送信する構成としたが、その他の方法であってもよい。例えば、外部通信機器５４がが送信アンテナ５４１の代わりに通信ネットワークに接続するための装置、すなわち、通信インターフェースを備えることによって、通信ネットワークを介して電子機器５３へデータを送信してもよい。
【００９９】
その場合の通信インターフェースとは、例えば、ＬＡＮ（Ｌｏｃａｌ  Ａｒｅａ  Ｎｅｔｗｏｒｋ；構内通信網）ケーブルを介して有線ＬＡＮルーターに接続するための通信デバイス、またはＷｉ−Ｆｉ（Ｗｉｒｅｌｅｓｓ  Ｆｉｄｅｌｉｔｙ）接続によって無線ＬＡＮルーターに接続するための通信装置（無線ＬＡＮ子機）である。
【０１００】
信号発信器５４２は、大会情報を示すデータ等を、送信アンテナ５４１が送信可能な信号に変換をしたり、または符号化したりする。
【０１０１】
マイクロプロセッサ５４３は、外部通信機器の各種の制御を行う。マイクロプロセッサは５３３は、例えば、ＣＰＵである。
マイクロプロセッサ５４３は、外部操作部材５４６から入力された情報に基づいて、ディスプレイ５４４に各種の情報を表示したりする。また、マイクロプロセッサ５４３は、外部操作部材５４６から入力された情報に基づいて、メモリ５４５に記憶させるデータの読み書きを行う。
【０１０２】
また、マイクロプロセッサ５４３は、メモリ５４５に記憶された関門地点２２−１、関門地点２２−２、関門地点２２−３、及びゴール地点２３のそれぞれの封鎖時刻に関する情報を示すデータ等を読み出し、電子機器５３にそのデータを送信するために信号発信器５４２へ出力する。
【０１０３】
ディスプレイ５４４は、外部操作部材５４６から入力された情報や、メモリ５４５に記憶された情報を表示するため等に用いられる。ディスプレイ５４４は、例えば、液晶ディスプレイ、有機ＥＬ（Ｅｌｅｃｔｒｏｌｕｍｉｎｅｓｃｅｎｃｅ）ディスプレイ、等を含んで構成される。
【０１０４】
メモリ５４５は、各種のデータやプログラム等を記憶する。メモリ５４５は記憶媒体、例えば、ＨＤＤ（Ｈａｒｄ  Ｄｉｓｋ  Ｄｒｉｖｅ）、フラッシュメモリ、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）、ＲＯＭ（Ｒｅａｄ  Ｏｎｌｙ  Ｍｅｍｏｒｙ；読み出し専用メモリ）、ＲＡＭ（Ｒａｎｄｏｍ  Ａｃｃｅｓｓ  ｒｅａｄ／ｗｒｉｔｅ  Ｍｅｍｏｒｙ；読み書き可能なメモリ）、またはそれらの組み合わせ、を含んで構成される。
例えば、競技者が競技前に予め入力する大会情報を示すデータ等が、メモリ５４５に記憶される。
【０１０５】
外部操作部材５４６は、競技者から操作入力を受け付けるための部材である。外部操作部材５４６は、例えば、キーボードや、マウス、タッチパッド、ポインティングデバイス等の部材である。
なお、上記のディスプレイ５４４と外部操作部材５４６は、両者の機能を兼ね備えた共通の部材を使用してもよい。すなわち表示機能と外部入力機能とを兼ね備えた、例えばタッチパネル等の部材を使用してもよい。
【０１０６】
また外部操作部材５４６の代わりに、遠隔装置からの操作入力を受け付けるための通信ネットワークに接続するための装置、すなわち、通信インターフェースを備えることによって、操作入力を受け付けてもよい。その場合の通信インターフェースとは、例えば、ＬＡＮ（Ｌｏｃａｌ  Ａｒｅａ  Ｎｅｔｗｏｒｋ；構内通信網）ケーブルを介して有線ＬＡＮルーターに接続するための接続端子、またはＷｉ−Ｆｉ（Ｗｉｒｅｌｅｓｓ  Ｆｉｄｅｌｉｔｙ）接続によって無線ＬＡＮルーターに接続するための通信装置（無線ＬＡＮ子機）である。
【０１０７】
また、大会情報を示すデータ等は、外部操作部材５４６から入力すること以外の手段によって生成されてもよい。例えば、外部通信機器５４が備えるアンテナや通信デバイスを介して、大会の主催者等がインターネットサイト等において提供するデータをダウンロードをすることによって、外部通信機器５４は大会情報を示すデータ等を取得するようにしてもよい。それによって、競技者が大会情報を外部操作部材５４６を用いてデータを入力する作業を自動化することができる。
【０１０８】
電源５４７は、外部通信機器５４の各構成部品に電力を供給する。
以下に、外部通信機器５４から電子機器５３へ送信される大会情報を示すデータの構成の一例を示す。
【０１０９】
（大会情報を示すデータの構成）
以下に、第２の実施形態に係る大会情報を示すデータの構成について説明する。
図７は、本発明の第２の実施形態に係る大会情報を示すデータの構成の一例を示す図である。
図７は、レースコース１１に沿って設置された関門地点２２−１〜２２−３及びゴール地点２３と、それら各地点の封鎖時刻に関する情報と、が対応付けられた「場所」及び「封鎖時刻」の２つの項目の列からなる２次元の表形式のデータである。
【０１１０】
図７に示す表の第２行目には、「場所」の項目の値には「１０ｋｍ関門」、「封鎖時刻」の項目の値には「１０：４０」という値が設定されている。つまり、第２行目のデータは、スタート地点から１０ｋｍの位置にある関門地点２２−１の封鎖時刻が「１０：４０」であることを意味する。
【０１１１】
図７に示す表の第３行目には、「場所」の項目の値には「２０ｋｍ関門」、「封鎖時刻」の項目の値には「１２：３０」という値が設定されている。つまり、第３行目のデータは、スタート地点から２０ｋｍの位置にある関門地点２２−１の封鎖時刻が「１２：３０」であることを意味する。以下の行も同様である。
【０１１２】
以上、第２の実施形態について説明した。ところで電子機器５３は、例えば競技中に競技者の手首に装着されるものであるため、できるだけ小型で軽量となるような構成にすることが望ましい。そのため、電子機器５３が備える外部操作部材５３６も、小型でシンプルな構成であることが望ましい。したがって競技者が、電子機器５３が備える外部操作部材５３６によって大会情報等を示すデータを入力する作業は手間がかかる作業になりがちである。
【０１１３】
そこで第２の実施形態で説明したように、外部通信機器５４を介して電子機器５３に大会情報を示すデータを入力することによって、競技者がデータを入力する作業の手間を軽減することができる。
また上述したように、大会の主催者等がインターネットサイト等において大会情報を示すデータを提供している場合においては、競技者がデータを入力する作業を省略することができる。すなわち、大会情報を示すデータをダウンロードすることによって、外部通信機器５４が当該データを取得するようにしたり、または電子機器５３が直接取得をするようにしたりすればよい。
【０１１４】
（第３の実施形態）
次に、本発明の第３の実施形態について説明する。
第１の実施形態及び第２の実施形態においては、関門地点２２−１と中間地点計測ポイント３２−１、関門地点２２−２と中間地点計測ポイント３２−２、及び関門地点２２−３と中間地点計測ポイント３２−３、はそれぞれ同位置に設置されている場合について説明した。
【０１１５】
しかしながら実際のマラソン大会等では、上記のそれぞれが同位置ではない場合がある。例えば、スタート地点２１からともにおよそ１０ｋｍの地点に設定される関門地点２２−１と中間地点計測ポイント３２−１とは、必ずしも同一の地点ではないことがある。例えば、レースコース１１が使用する道路における道路交通上の制約等によって、関門地点２２−１を１０ｋｍ地点の前後いずれかに数十メートル〜数百メートル離れた位置に設置しなければならないような場合である。
【０１１６】
第３の実施形態においては、関門地点と中間地点計測ポイント、すなわちリーダー装置５１が敷設されるポイントとが互いに離れた位置に設置されている場合について説明する。なお、第１の実施形態及び第２の実施形態と構成が共通している部分については、説明を省略する。
【０１１７】
関門地点とリーダー装置５１が敷設される中間地点計測ポイントとの位置が互いに離れて設置されている場合において、第１の実施形態と同様の構成の計測システムをもし適用した場合に問題となるのは、例えば、リーダー装置５１が関門地点よりも手前になるような位置関係になっている場合である。すなわち、関門地点のほうがリーダー装置よりもゴール地点２３の方向にずれて設置されている場合である。この場合について、図８を用いて説明する。
【０１１８】
図８は、本発明の第３の実施形態における計測システムの構成の一例を示す概略図である。
図８に示す関門地点及び中間地点計測ポイントは、それぞれ関門地点２２−３及び中間地点計測ポイント３２−３である。すなわち、図８に例示する関門地点及び中間地点計測ポイントは、３０ｋｍ地点の周辺にそれぞれ設置される関門地点及び中間地点計測ポイントである。
【０１１９】
図示した通り、リーダー装置５１が設置される中間地点計測ポイント３２−３は、スタート地点からちょうど３０ｋｍを経過した地点に設置されている。一方、関門地点２２−３は、中間地点計測ポイント３２−３から更に１ｋｍゴール寄りであり、スタート地点から３１ｋｍを経過した地点に設置されている。
なお、実際のマラソン大会においては、関門地点と計測ポイントとの位置がずれている場合に、どちらがどれだけ前方もしくは後方に設置されているかについての情報は、競技者には伝えられないことが多い。
【０１２０】
関門地点２２−３と中間地点計測ポイント３２−３とが図８のような位置関係にあるとき、もし第１の実施形態と同様の構成の計測システムを適用した場合には、以下に説明するような状態となる。
まず位置（Ａ）は、競技者が３０ｋｍ地点に設置された中間地点計測ポイント３２−３に到達した時点の様子を示している。そして、競技者が中間地点計測ポイント３２−３に到達した時刻は、「１３：４３」であったとする。
【０１２１】
第１の実施形態に係る計測システムによれば、中間地点計測ポイント３２−３上に敷設されたリーダー装置５１が発生させる磁界によって、電子機器５３の表示は次の計測ポイントであるゴール地点２３の封鎖時刻を示す表示に切り替わる。
【０１２２】
しかしながら、３０ｋｍ地点の関門地点である関門地点２２−３は、実際にはスタート地点２１から３１ｋｍの地点に設置されているため、関門地点２２−３までにはまだ残り１ｋｍが残されている状態にある。すなわち、実際にはまだ関門地点２２−３を通過していないにもかかわらず、電子機器５３の表示は次のゴール地点２３の封鎖時刻を示す表示へと切り替わってしまう。
【０１２３】
そのため競技者は、中間地点計測ポイント３２−３から関門地点２２−３までの１ｋｍの間を、関門地点２２−３の封鎖時刻及び関門地点２２−３が封鎖されるまでの残り時間等を確認することができないまま走行をしなければならない。
そこで上記のような課題を解決するため、第３の実施形態における電子機器５３は以下のような構成とする。
【０１２４】
電子機器５３が、次の関門地点の封鎖時刻を示す情報を表示するように表示を切り替えるタイミングを、第１の実施形態及び第２の実施形態と同様にリーダー装置５１が発生させる磁界を受信したタイミングとするのではなく、リーダー装置５１が発生させる磁界を受信したこと、かつ、現在時刻が関門地点の封鎖時刻を経過したこと、の２つの条件を満たしたタイミングとする。
【０１２５】
上記について、図８を参照して説明する。第３の実施形態における電子機器５３は、位置（Ａ）においてリーダー装置５１が敷設された３０ｋｍ地点の中間地点計測ポイント３２−３を通過する時点では、まだ自己の電子機器５３のディスプレイに表示する関門地点及び関門地点の封鎖時刻に関する表示を切り替えない。
【０１２６】
そして位置（Ｃ）の時点、すなわち３０ｋｍ地点の関門地点である関門地点２２−３の封鎖時刻を経過した時点において、電子機器５３は次の関門地点の名称及び次の関門地点の封鎖時刻の情報を表示するように表示を切り替える。つまり、第１の実施形態及び第２の実施形態においては位置（Ａ）において表示を切り替えるのに対し、第３の実施形態においては位置（Ｃ）において表示を切り替える。
【０１２７】
（電子機器の動作）
次に、第３の実施形態に係る電子機器５３の動作について説明する。
図９は、本発明の第３の実施形態に係る電子機器の動作の一例を示すフローチャートである。
（ステップＳ２０１）まず競技の開始前に予め、レースコース１１に設置された全ての関門地点Ｓ［Ｎ］（Ｎ＝１〜ｎ）の封鎖時刻を示すデータが、自己の外部操作部材５３６を介して電子機器５３に入力され、自己の電子機器５３のメモリ５３５に記憶される。なお、ここでは、最後の関門地点はＳ［ｎ］はゴール地点であるものとする。その後、ステップＳ２０２へ進む。
【０１２８】
（ステップＳ２０２）競技がスタートし、スタートライン手前から走行を開始した競技者は、スタート地点２１に引かれたスタートライン上に到達する。スタートライン上はスタート地点計測ポイント３１となっており、リーダー装置５１が敷設されている。競技者が装着する電子機器５３は自己の受信アンテナ５３１を介して、リーダー装置５１が発生させる磁界５２を受信する。その後、ステップＳ２０３へ進む。
【０１２９】
（ステップＳ２０３）リーダー装置５１が発生させる磁界５２を自己の受信アンテナ５３１を介して受信した電子機器５３は、自己の電子機器５３がスタート地点２１を通過したものと判定する。電子機器５３は、自己の電子機器５３のメモリ５３５が記憶している最初の関門地点である関門地点Ｓ［Ｎ］（Ｎ＝１）の封鎖時刻を、自己の電子機器５３のディスプレイ５３４に表示する。その後、ステップＳ２０４へ進む。
【０１３０】
（ステップＳ２０４）電子機器５３は自己の受信アンテナ５３１を介して、リーダー装置５１が発生させる磁界５２を受信した場合、ステップＳ２０５へ進む。リーダー装置５１が発生させる磁界５２を受信していない場合には、ステップＳ２０４に留まる。
【０１３１】
（ステップＳ２０５）電子機器５３は、自己の電子機器５３のマイクロプロセッサ５３３によって、現在時刻と関門地点Ｓ［Ｎ］の封鎖時刻とを比較する。現在時刻が関門地点Ｓ［Ｎ］の封鎖時刻を過ぎた場合は、ステップＳ２０６へ進む。現在時刻が関門地点Ｓ［Ｎ］の封鎖時刻を過ぎていない場合は、ステップＳ２０５に留まる。
【０１３２】
（ステップＳ２０６）電子機器５３は自己の電子機器５３の受信アンテナ５３１を介して、リーダー装置５１が発生させる磁界５２を受信し、かつ、現在時刻が関門地点Ｓ［Ｎ］の封鎖時刻を過ぎたことを自己の電子機器５３のマイクロプロセッサ５３３によって確認した電子機器５３は、自己の電子機器５３が関門地点Ｓ［Ｎ］を通過したものと判定する。そして電子機器５３は自己の電子機器５３のマイクロプロセッサ５３３によって、Ｎに１を加算する。その後、ステップＳ２０７へ進む。
【０１３３】
（ステップＳ２０７）電子機器５３は自己の電子機器５３のマイクロプロセッサ５３３によって、自己の電子機器５３のメモリ５３５が記憶しているＮ番目の関門地点である関門地点Ｓ［Ｎ］の封鎖時刻を自己の電子機器５３のディスプレイ５３４に表示する。その後、ステップＳ２０８へ進む。
【０１３４】
（ステップＳ２０８）電子機器５３は自己の電子機器５３のマイクロプロセッサ５３３によって、Ｎとｎとの大きさを比較する。Ｎ＜ｎであった場合、ステップＳ２０４へ戻る。Ｎ＜ｎでなかった場合、すなわちゴール地点であるＳ［ｎ］の封鎖時刻をステップＳ２０７において表示した場合には、本フローチャートが示す処理を終了する。
【０１３５】
以上説明したように、第３の実施形態によれば、電子機器５３は次の関門地点の封鎖時刻と現在時刻とをディスプレイに表示する。そして電子機器５３は、計測ポイント上に敷設されたリーダー装置５１が発生させる磁界を受信し、かつ、現在時刻が関門地点の封鎖時刻を経過した場合、電子機器５３はその関門地点を通過したものと判定する。関門地点を通過したものと判定した場合、電子機器５３はその次の関門地点の封鎖時刻と現在時刻とをディスプレイに表示する。
【０１３６】
上記の通り、電子機器５３が計測ポイントに到達したこと、かつ、現在時刻が関門地点の封鎖時刻を経過したこと、の２つの条件を満たした場合に関門地点を通過したものと判定をする。それによって、例えば、関門地点が中間地点計測ポイントよりもゴール地点方向にずれて設置されているような場合には、中間地点計測ポイントに到達した時点ではまだ電子機器５３は次の関門の封鎖時刻を表示するように表示を切り替えることはしない。その後、現在時刻が関門地点の封鎖時刻を経過した時にはじめて電子機器５３は次の関門の封鎖時刻を表示するように表示を切り替える。
【０１３７】
以上の構成によって、中間地点計測ポイントを通過したが実際には関門地点を通過していないような場合であっても、競技者は中間地点計測ポイントから関門地点までの間を、当該関門地点の封鎖時刻や関門地点が封鎖されるまでの残り時間等を確認しつつ走行を続けることができる。
以上により、第３の実施形態に係る電子機器５３は、競技者が自己のペース配分を容易に調整できるように関門に基づく情報を取得できる。
【０１３８】
（第４の実施形態）
次に、本発明の第４の実施形態について説明する。
第１の実施形態〜第３の実施形態においては、マラソン競技において、主にゴール地点２３まで完走をすることを目標とする初級レベルの競技者の場合を例示して説明をした。そのため、競技者が競技開始前に予め電子機器５３に記憶させておく目標時間情報は、各関門地点の封鎖時刻であった。
【０１３９】
第４の実施形態においては、マラソン競技において、中上級レベルの競技者が本発明に係る電子機器５３を着用して競技に参加する場合について説明する。第４の実施形態おける中上級レベルの競技者が競技開始前に予め電子機器５３に記憶させておく目標時間情報は、各中間地点計測ポイントを通過する目標通過時刻であるものとする。
なお第４の実施形態においてもマラソン競技の場合について例示をするが、本発明はマラソン競技のみに限られるものではない。
【０１４０】
第４の実施形態おける競技者は、競技開始前に各中間地点計測ポイント３２−１〜３２−３、及びゴール地点計測ポイント３３を通過する時刻について予め目標設定をする。競技者は、目標設定した各計測ポイントの目標通過時刻を示す目標時間情報を電子機器５３に記憶させておく。
図１０は、本発明の第４の実施形態に係る電子機器が記憶する各種の時間情報を示すデータの一例である。
【０１４１】
図１０（Ａ）は、競技開始前に競技者によって入力され、電子機器５３が記憶した目標時間情報を示すデータである。図１０（Ａ）のデータは、本例におけるレースコース１１に沿って設置された各計測ポイントと各計測ポイントの目標通過時刻とが対応付けられた、「場所」と「事前設定時刻」という２つの項目の列からなる２次元の表形式のデータである。
【０１４２】
図１０（Ａ）の表の第２行目には、「場所」の項目に対する値には「スタート地点」が、「事前設定時刻」の項目に対する値には「９：００：００」が設定されている。なお、「スタート地点」に対する値には、大会の主催者等によって定められたマラソン競技のスタート時刻が設定されているものとする。すなわちこの第２行目のデータは、第４の実施形態で例示するマラソン大会のスタート時刻（スタートの号砲が鳴る時刻）が「９：００：００」であることを意味する。
【０１４３】
図１０（Ａ）の表の第３行目には、「場所」の項目に対する値には「１０ｋｍ計測ポイント」が、「事前設定時刻」の項目に対する値には「９：５５：００」が設定されている。第３行目のデータは、競技者が１０ｋｍ地点の中間地点計測ポイントを「９：５５：００」までに通過するという目標設定をしていることを意味する。第４行目以降の行のデータについても同様である。
【０１４４】
ところで、マラソン大会の中でも、特に市民マラソンのように数千人〜数万人が参加するような大規模な大会において、競技がスタートする直前にはスタートラインを先頭にスタートを待つ競技者の長蛇の列が発生する。そのため、列の後方からスタートする競技者は、スタートの号砲が鳴ってからようやくスタートラインに到達するまでに数分間〜数十分間を要する場合もある。
【０１４５】
例えば「９：００：００」にスタートの号砲が鳴るマラソン大会において、競技者は、上記のようにスタートラインに到達するまでに１０分間を要したとする。すなわち競技者は、「９：１０：００」にようやくスタートラインを通過したとする。そして、競技者が競技開始前に予め目標設定した１０ｋｍ地点の計測ポイントの目標通過時刻が図１０（Ａ）に示すように「９：５５：００」であったとする。
その場合、本来「９：００：００」にスタートを切って、そこから１０ｋｍ地点の中間地点計測ポイント３２−１までの区間を５５分間以内に走行するという目標を立てたことによって１０ｋｍ地点の中間地点計測ポイント３２−１の通過時刻を「９：５５：００」と事前に目標設定した競技者は、実際には４５分間以内にこの区間を走行しなければならないことになる。なぜならば、スタートラインに到達するまでに既に１０分間を要しているからである。
【０１４６】
図１０（Ｂ）は、図１０（Ａ）に示す表の右側に、競技者が各計測ポイントを通過した時刻を示す「実際の通過時刻」の項目の列を追加した２次元の表形式のデータである。図１０（Ｂ）に示すデータは、競技者が２０ｋｍ地点計測ポイントを通過し、次の３０ｋｍ地点通過ポイントに向かって走行している時点の状態を示す各種の時間情報のデータの一例である。
【０１４７】
例えば、図１０（Ｂ）の第２行目において、「場所」の項目に対するに値は「スタート地点」が、「事前設定時刻」の項目に対する値には「９：００：００」が、及び「実際の通過時刻」の項目に対する値には「９：１０：００」が設定されている。つまりこの第２行目のデータは、競技者がスタートラインを「９：００：００」に通過する予定だったが、実際には「９：１０：００」に通過をしたことを意味する。
【０１４８】
また例えば、図１０（Ｂ）が示す表の第３行目において、「場所」の項目に対するに値は「１０ｋｍ計測ポイント」が、「事前設定時刻」の項目に対する値には「９：５５：００」が、及び「実際の通過時刻」の項目に対する値には「１０：００：４５」が設定されている。つまりこの第３行目のデータは、競技者が１０ｋｍ地点の中間地点計測ポイント３２−１を「９：５５：００」に通過する予定だったが、実際には「１０：００：４５」に通過したことを意味する。
【０１４９】
上記のような場合において、中間地点計測ポイント３２−１を「１０：００：４５」に通過したことだけを考えるならば競技者はここで目標未達という結果となるが、競技者がスタートラインから中間地点計測ポイント３２−１までの区間を走行するのに実際に要した時間は、「１０：００：４５」から「９：１０：００」を差し引いて「５０分４５秒間」である。すなわち、この区間を５５分間で走行することを目標としていた競技者は、実際には目標としていた時間内に走行できていたことが分かる。
【０１５０】
上記のように、スタートの号砲が鳴ってからスタートラインを通過するまでに時間を要する場合が発生する競技においては、スタートラインを通過するまでに要した時間を考慮して、目標設定時刻に反映させる必要がある。
【０１５１】
マラソン競技者の間では一般的に、スタートの号砲が鳴った時点から計測する時間を「グロスタイム」と呼ぶ。グロスタイムは、多くのマラソン大会において公式記録として記録される。また、スタートラインを通過した時点から計測する時間を「ネットタイム」と呼ぶ。なお、現時点（２０１４年時点）の我が国において、ネットタイムを計測するマラソン大会はあまり多くない。
【０１５２】
第４の実施形態に係る電子機器５３は、競技開始前に競技者により入力されたグロスタイムによる目標時間情報と、競技者がスタートラインを通過した時刻と、に基づいて、ネットタイムによる目標時間情報を生成し、自己の電子機器５３のディスプレイにネットタイムによる目標時間情報を表示する。
【０１５３】
図１０（Ｃ）は、電子機器５３のメモリ５３５に記憶されている、各種の時間情報を示すデータの一例である。
図１０（Ｃ）は、図１０（Ｂ）に示す表の左から２列目の列の右側に、上記のネットタイムによる目標通過時刻を示す「事前設定時刻（ネットタイム）」の項目の列を追加した２次元の表形式のデータである。
【０１５４】
図１０（Ｃ）に示すデータは、図１０（Ｂ）に示すデータと同様に、競技者が２０ｋｍ地点計測ポイントを通過し、次の３０ｋｍ地点通過ポイントに向かって走行している時点を示す各種の時間情報のデータの一例である。
【０１５５】
図１０（Ｃ）に示す表の各行における「事前設定時刻（ネットタイム）」の項目に対するそれぞれの値は、競技者がスタート地点計測ポイント３１に到達した時に、電子機器５３のマイクロプロセッサ５３３によって、一括して生成される。
【０１５６】
図１０（Ｃ）に示す表の第２行目における、「実際の通過時刻」の項目に対する値が「９：１０：００」となっていることから分かるように、競技者は「９：１０：００」にスタート地点計測ポイント３１を通過している。したがって、図１０（Ｃ）に示す表の第１行目における、「事前設定時刻（グロスタイム）」の項目に対する値が「９：００：００」となっていることから分かるように、競技者はスタートの号砲が鳴ってからちょうど１０分間経過した後にスタート地点計測ポイント３１を通過したことになる。
【０１５７】
電子機器５３のマイクロプロセッサ５３３は、競技開始前に競技者が予め目標設定した目標時間情報を示す図３（Ｃ）の「事前設定時刻（グロスタイム）」の項目に対する値と、スタートの号砲が鳴ってから競技者がスタートラインを通過するまでに要した時間である「１０分後」というデータに基づいて、図３（Ｃ）の「事前設定時刻（ネットタイム）」の項目に対する値を一括して生成する。すなわち、図３（Ｃ）の各行の「事前設定時刻（グロスタイム）」の項目に対する値に、それぞれ１０分を加算することによって、「事前設定時刻（ネットタイム）」の項目に対する値を一括して生成する。
【０１５８】
例えば、図１０（Ｃ）が示す表の第３行目において、「場所」の項目に対するに値は「１０ｋｍ計測ポイント」が、「事前設定時刻（グロスタイム）」の項目に対する値には「９：５５：００」が、「事前設定時刻（ネットタイム）」の項目に対する値には「１０：０５：００」が、及び「実際の通過時刻」の項目に対する値には「１０：００：４５」が設定されている。
【０１５９】
つまりこの第３行目のデータは、競技者が競技開始前に予め目標設定した１０ｋｍ地点の計測ポイントである中間地点計測ポイント３２−１の通過時刻は「９：５５：００」であること、また、スタートの号砲が鳴ってから競技者がスタート地点計測ポイント３１に到達するまでに１０分間を要したため、その１０分間分を加算して目標を修正した後の通過時刻は「１０：０５：００」であること、また、及び競技者が実際に中間地点計測ポイント３２−１を通過した時刻は「１０：００：４５」であったことを意味する。
【０１６０】
上記の通り、目標設定した通過時刻が「事前設定時刻（グロスタイム）」のままであるならば、実際に中間地点計測ポイント３２−１を通過した時刻である「１０：００：４５」に対し、目標設定した通過時刻は「９：５５：００」であるため目標を達成できなかったことになる。しかし、「事前設定時刻（グロスタイム）」を修正した「事前設定時刻（ネットタイム）」を新たな目標表設定値とすれば、実際に中間地点計測ポイント３２−１を通過した時刻である「１０：００：４５」に対し、目標設定した通過時刻は「１０：０５：００」であるため目標を達成できたことになる。
【０１６１】
図１１は、本発明の第４の実施形態に係る電子機器が表示する各種の時間情報の一例を示す図である。
図１１（Ａ）〜図１１（Ｅ）はそれぞれ、スタートの号砲が鳴る前の時点から、競技者が１０ｋｍ地点の計測ポイントである中間地点計測ポイント３２−１に到達する時点まで間に、電子機器５３が自己の電子機器５３のディスプレイに各種の時間情報を順次表示をさせた場合の表示例である。
【０１６２】
図１１（Ａ）は、マラソン大会のスタートの号砲が鳴る１分２０秒前の時点における、電子機器５３のディスプレイの表示領域の状態を表す。表示領域の上段に表示されるのは、最初の計測ポイントであるスタート地点計測ポイント３１を意味する「ＳＴＡＲＴ地点」となっている。また、表示領域の中段に表示されるのは、スタートの号砲が鳴る時刻である「９：００：００」となっている。また、表示領域の下段に表示されるのは現在時刻であり、マラソン大会のスタートの号砲が鳴る１分２０秒前である「８：５８：４０」となっている。競技者はスタートを待つためにスタートラインを先頭として列をなす沢山の参加者の１人であり、この時点では、競技者は列の後方寄りに並んでいるものとする。
【０１６３】
図１１（Ｂ）は、スタートの号砲が鳴ってから３分３８秒を経過した時点における、電子機器５３のディスプレイの表示領域の状態を表す。列の前方寄りに並ぶ参加者から順にスタートラインを通過している時点であるが、競技者は徐々にスタートラインに近づいているものの、まだスタートラインまでには到達していない状態である。
そのため、図１１（Ｂ）に示す通り、表示領域の上段に表示されるのは、最初の計測ポイントであるスタート地点計測ポイント３１を意味する「ＳＴＡＲＴ地点」のままとなっている。また、表示領域の中段に表示されるのも、スタートの号砲が鳴る時刻である「９：００：００」のままとなっている。そして、表示領域の下段に表示されるのは現在時刻であり、マラソン大会のスタートの号砲が鳴ってから３分３８秒を経過した時点である「９：０３：３８」となっている。
【０１６４】
図１１（Ｃ）は、競技者がようやくスタートラインに到達した時点、すなわちスタート地点計測ポイント３１に到達した時点における電子機器５３のディスプレイの表示領域の状態を表す。本例においては、競技者はスタートの号砲が鳴ってからちょうど１０分後である「９：１０：００」に、競技者はスタート地点計測ポイント３１に到達したものとする。
【０１６５】
第１の実施形態乃至第３の実施形態と同様に、スタート地点計測ポイント３１にはリーダー装置５１が敷設されている。リーダー装置５１は、自己のリーダー装置５１が備えるマット５１１に埋め込まれた信号発生コイル５１２によって、スタート地点計測ポイント３１上に磁界を発生させている。
【０１６６】
競技者の手首に装着された電子機器５３が備える受信アンテナ５３１は、信号発生コイル５１２が発生させる磁界５２を受信する。受信アンテナ５３１が磁界５２を受信した場合、電子機器５３は最初の計測ポイントであるスタート地点計測ポイント３１に到達したものと判定し、電子機器５３はディスプレイ５３４に表示させる各種の時間情報を切り替える。電子機器５３が表示を切り替えた直後の状態を示したものが、図３（Ｃ）に示す図である。
【０１６７】
図１１（Ｃ）に示す通り、表示領域の上段に表示されるのは、次の計測ポイントである１０キロメートル地点の計測ポイント、すなわち中間地点計測ポイント３２−１であることを意味する「１０ｋｍ地点」となっている。
また、表示領域の中段に表示されるのは、中間地点計測ポイント３２−１の目標通過時刻である「１０：０５：００」となっている。なお、競技者がスタート地点計測ポイント３１を通過する際には、各計測ポイントの目標通過時刻がグロスタイムからネットタイムに修正される。そのため、競技者がスタート地点計測ポイント３１を通過した後に、この表示領域の中段に表示さる時刻は、ネットタイムによる目標通過時刻である。すなわち、図１０（Ｃ）に示す表の「事前設定時刻（ネットタイム）」の項目に対する各値が、この中段に表示されることになる。
【０１６８】
そして、表示領域の下段に表示されるのは現在時刻であり、図１１（Ｃ）は電子機器５３を着用した競技者がスタート地点計測ポイント３１に到達した時点を示した図であることから「９：１０：００」となっている。
【０１６９】
図１１（Ｄ）は、電子機器５３を着用した競技者が１０ｋｍ地点の計測ポイントである中間地点計測ポイント３２−１に間もなく到達する頃の時点における電子機器５３のディスプレイの表示領域の状態を表す。そのため、図１１（Ｄ）に示す通り、表示領域の上段に表示されるのは、次の計測ポイントである中間地点計測ポイント３２−１を意味する「１０ｋｍ地点」のままとなっている。また、表示領域の中段に表示されるのも、中間地点計測ポイント３２−１のネットタイムによる目標通過時刻である「１０：０５：００」のままとなっている。そして、表示領域の下段に表示されるのは現在時刻であり、「１０：００：１２」となっている。
【０１７０】
図１１（Ｅ）は、電子機器５３を着用した競技者が１０ｋｍ地点の計測ポイントである中間地点計測ポイント３２−１に到達した時点における電子機器５３のディスプレイの表示領域の状態を表す。第１の実施形態〜第３の実施形態と同様に、中間地点計測ポイント３２−１上にはリーダー装置５１が敷設されている。電子機器５３は、リーダー装置５１が発生させる磁界５２を受信する。そして、電子機器５３は中間地点計測ポイント３２−１に到達したものと判定し、電子機器５３はディスプレイ５３４に表示させる各種の時間情報を切り替え得る。電子機器５３が表示を切り替えた直後の状態を示したものが、図３（Ｅ）に示す図である。
【０１７１】
図１１（Ｃ）に示す通り、表示領域の上段に表示されるのは、次の計測ポイントである２０キロメートル地点の計測ポイント、すなわち中間地点計測ポイント３２−２であることを意味する「２０ｋｍ地点」となっている。
また、表示領域の中段に表示されるのは、中間地点計測ポイント３２−２のネットタイムによる目標通過時刻である「１１：０５：００」となっている。そして、表示領域の下段に表示されるのは現在時刻であり、図１１（Ｃ）は電子機器５３を着用した競技者が中間地点計測ポイント３２−２に到達した時点を示した図であることから「１０：００：４５」となっている。
【０１７２】
なお、上記１０ｋｍ地点の計測ポイントである中間地点計測ポイント３２−２を、電子機器５３を着用した競技者が実際に通過した時刻が「１０：００：４５」であるのは、図１０（Ｃ）に示す表の第３行目に示した通りである。
【０１７３】
（電子機器の動作）
次に、第４の実施形態に係る電子機器５３の動作について説明する。
図１２は、本発明の第４の実施形態に係る電子機器の動作の一例を示すフローチャートである。
【０１７４】
（ステップＳ３０１）まず競技の開始前に予め、競技がスタートする時刻、及びレースコース１１に設置された計測ポイントＭ［Ｎ］（Ｎ＝１〜ｎ）の目標通過時刻のデータが、自己の外部操作部材５３６を介して電子機器５３に入力され、自己の電子機器５３のメモリ５３５に記憶される。なお、ここでは、計測ポイントＭ［１］〜Ｍ［ｎ−１］は中間地点計測ポイントであり、最後の計測ポイントはＭ［ｎ］はゴール地点計測ポイントであるものとする。その後、ステップＳ３０２へ進む。
【０１７５】
（ステップＳ３０２）競技がスタートし、スタートライン手前から走行を開始した競技者は、スタート地点２１に引かれたスタートライン上に到達する。スタートライン上はスタート地点計測ポイント３１となっており、リーダー装置５１が敷設されている。競技者が装着する電子機器５３は自己の受信アンテナ５３１を介して、リーダー装置５１が発生させる磁界５２を受信する。その後、ステップＳ３０３へ進む。
【０１７６】
（ステップＳ３０３）リーダー装置５１が発生させる磁界５２を自己の受信アンテナ５３１を介して受信した電子機器５３は、自己の電子機器５３がスタート地点２１を通過したものと判定する。電子機器５３は、磁界５２を受信した時刻を自己のメモリ５３５に記憶する。電子機器５３は自己の電子機器５３のマイクロプロセッサ５３３により、磁界５２を受信した時刻からステップＳ３０１で入力された競技がスタートする時刻を差し引くことによって、スタート時刻から実際にスタート地点に到達するまでに要した時間を算出する。
【０１７７】
そして電子機器５３は自己の電子機器５３のマイクロプロセッサ５３３によって、その算出した時間を、ステップＳ３０１で入力された計測ポイントＭ［Ｎ］（Ｎ＝１〜ｎ）の目標通過時刻の各データに加算する。すなわち電子機器５３は自己の電子機器５３のマイクロプロセッサ５３３によって、、競技開始前に予め入力されたグロスタイムでの各目標通過時刻を、ネットタイムでの各目標通過時刻に修正をする。その後、ステップＳ３０４へ進む。
【０１７８】
（ステップＳ３０４）電子機器５３は、自己の電子機器５３のメモリ５３５が記憶している最初の計測ポイント、すなわち計測ポイントＭ［Ｎ］（Ｎ＝１）の修正後の目標通過時刻を、自己の電子機器５３のディスプレイ５３４に表示する。その後、ステップＳ３０５へ進む。
【０１７９】
（ステップＳ３０５）電子機器５３は自己の電子機器５３の受信アンテナ５３１を介して、リーダー装置５１が発生させる磁界５２を受信した場合、ステップＳ３０６へ進む。リーダー装置５１が発生させる磁界５２を受信していない場合には、本ステップＳ３０５に留まる。
【０１８０】
（ステップＳ３０６）リーダー装置５１が発生させる磁界５２を自己の受信アンテナ５３１を介して受信した電子機器５３は、自己の電子機器５３が計測ポイントＭ［Ｎ］を通過したものと判定する。そして電子機器５３は自己の電子機器５３のマイクロプロセッサ５３３によって、Ｎに１を加算する。その後、ステップＳ３０７へ進む。
【０１８１】
（ステップＳ３０７）電子機器５３は、自己の電子機器５３のメモリ５３５が記憶しているＮ番目の計測ポイント、すなわち計測ポイントＭ［Ｎ］の修正後の目標通過時刻を自己の電子機器５３のディスプレイ５３４に表示する。その後、ステップＳ３０８へ進む。
【０１８２】
（ステップＳ３０８）電子機器５３は自己の電子機器５３のマイクロプロセッサ５３３によって、Ｎとｎとの大きさを比較する。Ｎ＜ｎであった場合、ステップＳ３０５へ戻る。Ｎ＜ｎでなかった場合、すなわちゴール地点計測ポイントである計測ポイントＳ［ｎ］の修正後の目標通過時刻をステップＳ３０７において表示した場合には、本フローチャートが示す処理を終了する。
【０１８３】
以上説明したように、第４の実施形態によれば、電子機器５３がスタート地点計測ポイントに敷設されたリーダー装置５１が発生させる磁界を受信した場合、電子機器５３はスタート地点計測ポイント３１に到達したものと判定する。電子機器５３は、磁界を受信した時刻がスタート地点計測ポイント３１に到達した時刻であるものと判定する。電子機器５３は、磁界を受信した時刻からスタート時刻を差し引くことによって、スタート時刻からスタート地点計測ポイント３１に到達するまでに要した時間を算出する。電子機器５３は、その算出した時間を、予め自己の電子機器５３が記憶している各中間地点計測ポイント３２−１〜３２−３及びゴール地点計測ポイント３３の目標通過時刻にそれぞれ加算することによって修正した目標通過時刻を生成する。すなわち、電子機器５３は、スタート時刻ではなく、スタート地点計測ポイントに到達した時刻を基準とした、ネットタイムでの各目標通過時刻を生成する。
【０１８４】
電子機器５３は次の計測ポイントの目標通過時刻（ネットタイム）と現在時刻とをディスプレイに表示する。そして電子機器５３は、各計測ポイント上に敷設されたリーダー装置５１が発生させる磁界を受信した場合、電子機器５３は計測ポイントを通過したものと判定する。計測ポイントを通過したものと判定した場合、電子機器５３はその次の計測ポイントの目標通過時刻と現在時刻とを表示するように表示を切り替える。
【０１８５】
以上説明した第４の実施形態の構成によれば、スタートの号砲が鳴ってから実際に競技者がスタートラインを通過するまでに時間を要した場合であっても、自動的に各中間地点計測ポイント３２−１〜３２−３及びゴール地点計測ポイント３３の目標通過時刻を、それぞれ切り替えて表示する。それによって競技者は、スタートラインを通過した後で、走行中に目標通過時刻を再設定する必要がない。そして、レースコース１１におけるいずれの区間においても、競技者は予め目標設定をした走行ペースで走行をすることができる。
【０１８６】
以上により、第４の実施形態に係る電子機器５３は、競技者が自己のペース配分を容易に調整できるように目標通過時刻に係る情報を取得できる。
【０１８７】
（第５の実施形態）
次に、本発明の第５の実施形態について説明する。
従来のマラソン大会において、競技者はストップウォッチやストップウォッチ機能を備えた腕時計、いわゆるクロノグラフを着用して競技に参加することが多かった。競技者はまず、スタートラインを通過するときにストップウォッチのボタンを押す。ストップウォッチはスタートラインを通過するときにボタンが押されてからの時間、すなわちスプリットタイムを自己のストップウォッチのディスプレイに表示させ、スプリットタイムの表示を更新し続ける。
【０１８８】
そして競技者は、各計測ポイント等を通過する際に再びストップウォッチのボタンを押す。そのときストップウォッチは、1つ前にボタンが押された時から今回ボタンが押された時までの時間、すなわちラップタイムを演算し、自己のストップウォッチのディスプレイに表示させる。競技者はストップウォッチに表示されたラップタイムを確認することによって、直近の区間の走行においてどれだけの時間を要したかを認識する。
【０１８９】
最後に競技者は、ゴールラインを通過した際に再びストップウォッチのボタンを押す。その時ストップウォッチは、スプリットタイムの表示の更新を停止させる。競技者は、停止したスプリットタイムを確認することによって、スタートからゴールまでの走行時間、すなわちゴールタイムを認識する。
【０１９０】
上記の通り、従来のマラソン大会の競技者は、スタート地点、各計測ポイント、及びゴール地点において、ボタンを押す等の手入力の操作を行うことで、ラップタイムを表示させて確認をする。しかしながら、特にレース後半等の競技者の疲労が蓄積している状況においては、手入力によって、正確な位置で入力操作を行うことが容易ではない場合がある。
【０１９１】
第５の実施形態においては、電子機器５３はストップウォッチ機能を備える。電子機器５３は、各計測ポイントに設置されたリーダー装置５１が発生させる磁界５２を受信する。そして電子機器５３は、各計測ポイントにおいて磁界５２を受信した時点のスプリットタイムをそれぞれ記録する。電子機器５３は、連続する２つの計測ポイントにおいてそれぞれ記録したスプリットタイムの差を演算することによって、当該２つの計測ポイント間のの区間のラップタイムを算出する。
【０１９２】
以上のように、第５の実施形態によれば、計測システム２を用いることにより自動的にラップタイムを算出することができる。
【０１９３】
図１３は、本発明の第５の実施形態に係る電子機器が表示する各種の時間情報の一例を示す図である。
図１３に図示する通り、電子機器５３が備えるディスプレイの表示領域において、上段には「ＬＡＰ１  ００：１５：２４」、中段には「００：３０：２４」、及び下段には「ＧＡＴＥ２  １：３０：２５」という情報が表示されている。
【０１９４】
上段の表示は、直前の走行区間の名称、及びラップタイムを表す。つまり、直前の走行区間の名称が「ＬＡＰ１」であり、ラップタイムが「００：１５：２４」であることを示している。すなわち、競技者が「ＬＡＰ１」の走行区間を１５分２４秒で走行したことを意味する。
中段の表示は、スプリットタイムを表す。すなわち、競技者がスタート地点２１で走行を開始してからの経過時間が３０分２４秒であることを意味する。
【０１９５】
下段の表示は、次の関門地点の名称及び次の関門地点の封鎖時刻までの残り時間を示す。つまり、次の関門地点の名称が「ＧＡＴＥ２」であり、次の関門地点の封鎖時刻までの残り時間が１時間３０分２５秒であることを示している。
なお、第５の実施形態においては、各関門地点と、リーダー装置５１が敷設された各計測ポイントの位置は同一であるものとする。
【０１９６】
図１３の上段の表示は、競技者が各計測ポイントに到達し、各計測ポイントに敷設されたリーダー装置５１が発生させる磁界５２を電子機器５３が受信した後に表示が切り替えられる。前回の計測ポイントに到達した時点で記録したスプリットタイムを、今回の計測ポイントに到達した時点で記録したスプリットタイムから差し引くことによって、電子機器５３は直前の走行区間のラップタイムを算出し、表示を切り替える。
【０１９７】
図１３の中段の表示はスプリットタイムであり、競技中、電子機器５３は１秒毎に表示を更新し続ける。
図１３の下段の表示は、競技者が各計測ポイントに到達し、各計測ポイントに敷設されたリーダー装置５１が発生させる磁界５２を電子機器５３が受信した後に表示が切り替えられる。磁界５２を受信すると、電子機器５３は関門地点に到達したものと認識し、次の関門地点の名称を表示する。また電子機器５３は、次の関門地点の封鎖時刻から現在時刻を差し引くことによって、次の関門地点の封鎖時刻までの残り期間を算出し、競技者が競技中に、電子機器５３は表示を更新し続ける。
【０１９８】
（電子機器の動作）
次に、第５の実施形態に係る電子機器５３の動作について説明する。
図１４は、本発明の第５の実施形態に係る電子機器の動作の一例を示すフローチャートである。
（ステップＳ４０１）まず競技がスタートする前に、レースコース１１に設置された全ての関門地点Ｓ［Ｎ］（Ｎ＝１〜ｎ）の封鎖時刻を示すデータが、自己の外部操作部材５３６を介して電子機器５３に入力される。なお、ここでは、最後の関門地点はＳ［ｎ］はゴール地点であるものとする。その後、ステップＳ４０２へ進む。
【０１９９】
（ステップＳ４０２）競技がスタートし、スタートライン手前から走行を開始した競技者は、スタート地点２１に引かれたスタートライン上に到達する。スタートライン上はスタート地点計測ポイント３１となっており、リーダー装置５１が敷設されている。競技者が装着する電子機器５３は自己の受信アンテナ５３１を介して、リーダー装置５１が発生させる磁界５２を受信する。その後、ステップＳ４０３へ進む。
【０２００】
（ステップＳ４０３）スタートラインを通過したことを確認した競技者は、ストップウォッチの動作を開始させるため、電子機器５３が備える外部操作部材５３６の１つであるストップウォッチ機能のボタンを押す。その後、ステップＳ１０４へ進む。
【０２０１】
（ステップＳ４０４）ストップウォッチの動作を開始させるためのボタンが押されたことを示す入力を受け付けた電子機器５３は自己の電子機器５３のマイクロプロセッサ５３３によって、スプリットタイムの演算をスタートする。その後、電子機器５３が備える外部操作部材５３６の１つであるストップウォッチを動作終了させるためのボタンが競技者によって押されたことを示す入力を受け付けるまで、電子機器５３はスプリットタイムの表示を更新し続ける。スプリットタイムの表示を、電子機器５３は自己の電子機器５３のディスプレイ５３４の表示領域の中段に表示する。その後、ステップＳ４０５へ進む。
【０２０２】
（ステップＳ４０５）リーダー装置５１が発生させる磁界を自己の受信アンテナ５３１を介して受信した電子機器５３は、自己の電子機器５３がスタート地点２１を通過したものと判定する。電子機器５３は、自己の電子機器５３のメモリ５３５が記憶している最初の関門地点である関門地点Ｓ［Ｎ］（Ｎ＝１）の封鎖時刻を自己の電子機器５３のディスプレイ５３４に表示する。その後、ステップＳ４０６へ進む。
【０２０３】
（ステップＳ４０６）電子機器５３は、自己の電子機器５３のマイクロプロセッサ５３３によって、現在時刻と関門地点Ｓ［Ｎ］の封鎖時刻とを比較する。現在時刻が関門地点Ｓ［Ｎ］の封鎖時刻を過ぎた場合は、本フローチャートが示す処理を終了する。現在時刻が関門地点Ｓ［Ｎ］の封鎖時刻を過ぎていない場合は、ステップＳ４０７へ進む。
【０２０４】
（ステップＳ４０７）電子機器５３は、リーダー装置５１が発生させる磁界５２を受信した場合、ステップＳ４０８へ進む。リーダー装置５１が発生させる磁界５２を受信していない場合には、ステップＳ４０６へ戻る。
【０２０５】
（ステップＳ４０８）リーダー装置５１が発生させる磁界５２を自己の受信アンテナ５３１を介して受信した電子機器５３は、自己の電子機器５３が関門地点Ｓ［Ｎ］を通過したものと判定する。そして電子機器５３は自己の電子機器５３のマイクロプロセッサ５３３によって、Ｎに１を加算する。その後、ステップＳ４０９へ進む。
【０２０６】
（ステップＳ４０９）関門地点Ｓ［Ｎ］を通過したものと判定した電子機器５３は自己の電子機器５３のマイクロプロセッサ５３３によって、関門地点Ｓ［Ｎ］を通過した時のスプリットタイムから、関門地点Ｓ［Ｎ−１］を通過した時のスプリットタイムを差し引く演算をする。それによって電子機器５３は、関門地点Ｓ［Ｎ−１］から関門地点Ｓ［Ｎ］までの走行区間のラップタイムを算出する。電子機器５３は、算出したラップタイムを自己の電子機器５３のディスプレイ５３４の表示領域の上段に表示する。その後、ステップＳ４１０へ進む。
【０２０７】
（ステップＳ４１０）電子機器５３は、自己の電子機器５３のメモリ５３５が記憶しているＮ番目の関門地点である関門地点Ｓ［Ｎ］の封鎖時刻を自己の電子機器５３のディスプレイ５３４の表示領域の下段に表示する。その後、ステップＳ４１１へ進む。
【０２０８】
（ステップＳ４１１）電子機器５３は自己の電子機器５３のマイクロプロセッサ５３３によって、Ｎとｎとの大きさを比較する。Ｎ＜ｎであった場合、ステップＳ４０６へ戻る。Ｎ＜ｎでなかった場合、すなわちゴール地点であるＳ［ｎ］の封鎖時刻をステップＳ４１０において表示した場合には、本フローチャートが示す処理を終了する。
【０２０９】
上記で説明したように第５の実施形態において、リーダー装置５１が発生させる磁界を、電子機器５３は受信する。
電子機器５３は磁界を受信した場合、関門地点を通過したものと判定し、自動的にその次の関門地点の封鎖時刻を表示するように表示を切り替える。したがって競技中には、競技者は電子機器５３の操作をすることなく、常に次の関門地点の封鎖時刻を認識することができる。
【０２１０】
また、電子機器５３は磁界を受信した場合、計測ポイントを通過したものと判定し、自動的に直前の走行区間のラップタイムを表示するように表示を切り替える。したがって競技中には、競技者は電子機器５３の操作をすることなく、常に次の直前の走行区間のラップタイムを認識することができる。
以上により、第５の実施形態に係る電子機器５３は、競技者が自己のペース配分を容易に調整できるように関門に基づく情報を取得できる。
【０２１１】
以上、この発明の実施形態について詳しく説明してきたが、具体的な構成は上述のものに限られることはなく、この発明の要旨を逸脱しない範囲内において様々な設計変更等をすることが可能である。
【０２１２】
なお、上述した実施形態におけるリーダー装置５１、電子機器５３、及び外部通信機器５４の一部または全部を、コンピューターで実現するようにしてもよい。その場合、この制御機能を実現するためのプログラムを、コンピューター読み取り可能な記録媒体に記録して、この記録媒体に記録されたプログラムをコンピューターシステムに読み込ませ、実行することによって実現してもよい。
【０２１３】
なお、ここでいう「コンピューターシステム」とは、リーダー装置５１、電子機器５３、及び外部通信機器５４に内蔵されたコンピューターシステムであって、ＯＳや周辺機器等のハードウェアを含むものとする。また、「コンピューターにより読み取り可能な記録媒体」とは、フレキシブルディスク、光磁気ディスク、フラッシュメモリ、ＥＥＰＲＯＭ、ＲＯＭ、ＲＡＭ、ＣＤ−ＲＯＭ等の可搬媒体、コンピューターシステムに内蔵されるハードディスク等の記憶装置、またはそれらの任意の組み合わせによって構成される記憶媒体のことをいう。
【０２１４】
さらに「コンピューターにより読み取り可能な記録媒体」とは、インターネット等の通信ネットワークや電話回線等の通信回線を介してプログラムを送信する場合の通信線のように、短時間、動的にプログラムを保持するもの、その場合のサーバーやクライアントとなるコンピューターシステム内部の揮発性メモリのように、一定時間プログラムを保持しているものも含んでもよい。また上記プログラムは、前述した機能の一部を実現するためのものであっても良く、さらに前述した機能をコンピューターシステムにすでに記録されているプログラムとの組み合わせで実現できるものであってもよい。
【０２１５】
また、上述した実施形態におけるリーダー装置５１、電子機器５３、及び外部通信機器５４の一部または全部を、ＬＳＩ（Ｌａｒｇｅ  Ｓｃａｌｅ  Ｉｎｔｅｇｒａｔｉｏｎ）等の集積回路として実現してもよい。リーダー装置５１、電子機器５３、及び外部通信機器５４の各機能ブロックは個別にプロセッサ化してもよいし、一部、または全部を集積してプロセッサ化してもよい。また、集積回路化の手法はＬＳＩに限らず専用回路、または汎用プロセッサで実現してもよい。また、半導体技術の進歩によりＬＳＩに代替する集積回路化の技術が出現した場合、当該技術による集積回路を用いてもよい。
【符号の説明】
【０２１６】
１・・・レース会場、２・・・計測システム、１１・・・レースコース、２１・・・スタート地点、２２−１・・・１０ｋｍ地点の関門地点、２２−２・・・２０ｋｍ地点の関門地点、２２−３・・・３０ｋｍ地点の関門地点、２３・・・ゴール地点、３１・・・スタート地点計測ポイント、３２−１・・・１０ｋｍ地点の中間地点計測ポイント、３２−２・・・２０ｋｍ地点の中間地点計測ポイント、３２−３・・・３０ｋｍ地点の中間地点計測ポイント、３３・・・ゴール地点計測ポイント、５１・・・リーダー装置、５１１・・・マット、５１２・・・信号発生コイル、５１３・・・信号発信器、５２・・・磁界、５３・・・電子機器、５３１・・・受信アンテナ、５３２・・・受信回路、５３３・・・マイクロプロセッサ、５３４・・・ディスプレイ、５３５・・・メモリ、５３６・・・外部操作部材、５３７・・・電源、５４・・・外部通信機器、５４１・・・送信アンテナ、５４２・・・信号発信器、５４３・・・マイクロプロセッサ、５４４・・・ディスプレイ、５４５・・・メモリ、５４６・・・外部操作部材、５４７・・・電源、６１・・・表示例（１）、６２・・・表示例（２）、６３・・・表示例（３）、
【図１】
2016137068.tif 000003
【図２】
2016137068.tif 000004
【図３】
2016137068.tif 000005
【図４】
2016137068.tif 000006
【図５】
2016137068.tif 000007
【図６】
2016137068.tif 000008
【図７】
2016137068.tif 000009
【図８】
2016137068.tif 000010
【図９】
2016137068.tif 000011
【図１０】
2016137068.tif 000012
【図１１】
2016137068.tif 000013
【図１２】
2016137068.tif 000014
【図１３】
2016137068.tif 000015
【図１４】
2016137068.tif 000016